【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
１または２以上の光学素子と、
上記１または２以上の光学素子を支持する支持体と、
上記１または２以上の光学素子および上記支持体を覆う包装部材と
を備え、
上記支持体は、
光源からの光が入射する入射面と、
上記入射面から入射した光を出射する出射面と
を有し、
上記入射面および上記出射面の少なくとも一方の面が、凹形状または凸形状である光学素子包装体。
【請求項２】
１または２以上の光学素子と、
上記１または２以上の光学素子を支持する支持体と
を備えた光学素子積層体を有し、
上記光学素子積層体の主面を、面積比率で５０％以上覆う包装部材を有し、
上記支持体は、
光源からの光が入射する入射面と、
上記入射面から入射した光を出射する出射面と
を有し、
上記入射面および上記出射面の少なくとも一方の面が、凹形状または凸形状である光学素子包装体。
【請求項３】
１または２以上の光学素子と、
上記１または２以上の光学素子を支持する支持体と
を備えた光学素子積層体を有し、
上記光学素子積層体は、
光源からの光が入射する入射面と、
上記入射面から入射した光を出射する出射面と
を有し、
上記光学素子積層体の上記入射面は、第１の包装部材によって覆われ、
上記光学素子積層体の上記出射面は、第２の包装部材によって覆われ、
上記支持体は、
光源からの光が入射する入射面と、
上記入射面から入射した光を出射する出射面と
を有し、
上記入射面および上記出射面の少なくとも一方の面が、凹形状または凸形状である光学素子包装体。
【請求項４】
上記包装部材には、光学機能層としての凹凸構造が形成されている請求項１乃至３のいずれか一に記載の光学素子包装体。
【請求項５】
上記光学機能層は、光拡散機能、光集光機能、反射型偏光機能、偏光機能または光分割機能を有する請求項４記載の光学素子包装体。
【請求項６】
上記包装部材には、貼り付き防止または耐傷性のためのうねり構造が形成されている請求項１乃至３のいずれか一に記載の光学素子包装体。
【請求項７】
上記包装部材は、１軸異方性または２軸異方性を有する請求項１乃至３のいずれか一に記載の光学素子包装体。
【請求項８】
異方性を有する上記包装部材のリタデーションが５０ｎｍ以下である請求項７記載の光学素子包装体。
【請求項９】
上記包装部材の熱変形温度が９０℃以上である請求項１乃至８のいずれか一に記載の光学素子包装体。
【請求項１０】
上記包装部材の乾燥減量が２％以下である請求項１乃至９のいずれか一に記載の光学素子包装体。
【請求項１１】
上記包装部材の熱膨張率が、上記支持体および上記光学素子の熱膨張率よりも小さい請求項１乃至１０のいずれか一に記載の光学素子包装体。
【請求項１２】
上記包装部材の屈折率が１．６以下である請求項１乃至１１のいずれか一に記載の光学素子包装体。
【請求項１３】
上記包装部材は、１種または２種以上の有機フィラーまたは無機フィラーを含有する請求項１乃至１２のいずれか一に記載の光学素子包装体。
【請求項１４】
上記支持体には、反りが設けられている請求項１乃至１３のいずれか一に記載の光学素子包装体。
【請求項１５】
上記支持体の端面は、テーパ状である請求項１乃至１４のいずれか一に記載の光学素子包装体。
【請求項１６】
上記支持体および上記光学素子の少なくとも一方の端面は、曲面状、多角形状、台形状またはそれらを組み合わせた複合形状とされている請求項１乃至１４のいずれか一に記載の光学素子包装体。
【請求項１７】
上記入射面および上記出射面の少なくとも一方に、上記光学素子を収容する収容部を備える請求項１乃至１６のいずれか一に記載の光学素子包装体。
【請求項１８】
上記支持体は、
上記入射面および上記出射面の少なくとも一方の周縁部に、上記光学素子を保持する保持部をさらに備える請求項１７記載の光学素子包装体。
【請求項１９】
上記支持体は、拡散板、透明板、プリズム板、反射型偏光板または位相差板である請求項１乃至１８のいずれか一に記載の光学素子包装体。
【請求項２０】
光を出射する光源と、
上記光源から出射された光の特性を改善し、液晶パネルに対して出射する光学素子包装体と
を備え、
上記光学素子包装体は、
１または２以上の光学素子と、
上記１または２以上の光学素子を支持する支持体と、
上記１または２以上の光学素子および上記支持体を覆う包装部材と
を備え、
上記支持体は、
光源からの光が入射する入射面と、
上記入射面から入射した光を上記液晶パネルに向けて出射する出射面と
を有し、
上記入射面および上記出射面の少なくとも一方の面が、凹形状または凸形状であるバックライト。
【請求項２１】
光を出射する光源と、
上記光源から出射された光の特性を改善する光学素子包装体と、
上記光学素子包装体により特性が改善された光に基づき、画像を表示する液晶パネルと
を備え、
上記光学素子包装体は、
１または２以上の光学素子と、
上記１または２以上の光学素子を支持する支持体と、
上記１または２以上の光学素子および上記支持体を覆う包装部材と
を備え、
上記支持体は、
光源からの光が入射する入射面と、
上記入射面から入射した光を上記液晶パネルに向けて出射する出射面と
を有し、
上記入射面および上記出射面の少なくとも一方の面が、凹形状または凸形状である液晶表示装置。
【請求項２２】
光を出射する光源と、
上記光源から出射された光の特性を改善し、液晶パネルに対して出射する光学素子包装体と
を備え、
上記光学素子包装体は、
１または２以上の光学素子と、
上記１または２以上の光学素子を支持する支持体と、
上記１または２以上の光学素子および上記支持体を覆う包装部材と
を備え、
上記支持体は、
光源からの光が入射する入射面と、
上記入射面から入射した光を上記液晶パネルに向けて出射する出射面と
を有し、
上記出射面側の光学素子を支持体とするバックライト。
【請求項２３】
光を出射する光源と、
上記光源から出射された光の特性を改善する光学素子包装体と、
上記光学素子包装体により特性が改善された光に基づき、画像を表示する液晶パネルと
を備え、
上記光学素子包装体は、
１または２以上の光学素子と、
上記１または２以上の光学素子を支持する支持体と、
上記１または２以上の光学素子および上記支持体を覆う包装部材と
を備え、
上記支持体は、
光源からの光が入射する入射面と、
上記入射面から入射した光を上記液晶パネルに向けて出射する出射面と
を有し、
上記出射面側の光学素子を支持体とする液晶表示装置。
【請求項２４】
上記１または２以上の光学素子および上記支持体は、光学素子積層体を成し、
上記包装部材は、上記光学素子積層体の主面を面積比率で５０％以上覆う請求項２０または２２に記載のバックライト。
【請求項２５】
上記１または２以上の光学素子および上記支持体は、光学素子積層体を成し、
上記包装部材は、上記光学素子積層体の主面を面積比率で５０％以上覆う請求項２１または２３に記載の液晶表示装置。
【手続補正２】
【補正対象書類名】明細書
【補正対象項目名】００１２
【補正方法】変更
【補正の内容】
【００１２】
上述の課題を解決するために、第１の発明は、
１または２以上の光学素子と、
１または２以上の光学素子を支持する支持体と、
１または２以上の光学素子および支持体を覆う包装部材と
を備え、
支持体は、
光源からの光が入射する入射面と、
入射面から入射した光を出射する出射面と
を有し、
入射面および出射面の少なくとも一方の面が、凹形状または凸形状である光学素子包装体である。
第２の発明は、
１または２以上の光学素子と、
１または２以上の光学素子を支持する支持体と
を備えた光学素子積層体を有し、
光学素子積層体の主面を、面積比率で５０％以上覆う包装部材を有し、
支持体は、
光源からの光が入射する入射面と、
入射面から入射した光を出射する出射面と
を有し、
入射面および出射面の少なくとも一方の面が、凹形状または凸形状である光学素子包装体である。
第３の発明は、
１または２以上の光学素子と、
１または２以上の光学素子を支持する支持体と
を備えた光学素子積層体を有し、
光学素子積層体は、
光源からの光が入射する入射面と、
入射面から入射した光を出射する出射面と
を有し、
光学素子積層体の入射面は、第１の包装部材によって覆われ、
光学素子積層体の出射面は、第２の包装部材によって覆われ、
支持体は、
光源からの光が入射する入射面と、
入射面から入射した光を出射する出射面と
を有し、
入射面および出射面の少なくとも一方の面が、凹形状または凸形状である光学素子包装体である。
【手続補正３】
【補正対象書類名】明細書
【補正対象項目名】００１３
【補正方法】変更
【補正の内容】
【００１３】
第４の発明は、
光を出射する光源と、
光源から出射された光の特性を改善し、液晶パネルに対して出射する光学素子包装体と
を備え、
光学素子包装体は、
１または２以上の光学素子と、
１または２以上の光学素子を支持する支持体と、
１または２以上の光学素子および支持体を覆う包装部材と
を備え、
支持体は、
光源からの光が入射する入射面と、
入射面から入射した光を液晶パネルに向けて出射する出射面と
を有し、
入射面および出射面の少なくとも一方の面が、凹形状または凸形状であるバックライトである。
【手続補正４】
【補正対象書類名】明細書
【補正対象項目名】００１４
【補正方法】変更
【補正の内容】
【００１４】
第５の発明は、
光を出射する光源と、
光源から出射された光の特性を改善する光学素子包装体と、
光学素子包装体により特性が改善された光に基づき、画像を表示する液晶パネルと
を備え、
光学素子包装体は、
１または２以上の光学素子と、
１または２以上の光学素子を支持する支持体と、
１または２以上の光学素子および支持体を覆う包装部材と
を備え、
支持体は、
光源からの光が入射する入射面と、
入射面から入射した光を液晶パネルに向けて出射する出射面と
を有し、
入射面および出射面の少なくとも一方の面が、凹形状または凸形状である液晶表示装置である。
【手続補正５】
【補正対象書類名】明細書
【補正対象項目名】００１５
【補正方法】変更
【補正の内容】
【００１５】
第６の発明は、
光を出射する光源と、
光源から出射された光の特性を改善し、液晶パネルに対して出射する光学素子包装体と
を備え、
光学素子包装体は、
１または２以上の光学素子と、
１または２以上の光学素子を支持する支持体と、
１または２以上の光学素子および支持体を覆う包装部材と
を備え、
支持体は、
光源からの光が入射する入射面と、
入射面から入射した光を液晶パネルに向けて出射する出射面と
を有し、
出射面側の光学素子を支持体とするバックライトである。
【手続補正６】
【補正対象書類名】明細書
【補正対象項目名】００１６
【補正方法】変更
【補正の内容】
【００１６】
第７の発明は、
光を出射する光源と、
光源から出射された光の特性を改善する光学素子包装体と、
光学素子包装体により特性が改善された光に基づき、画像を表示する液晶パネルと
を備え、
光学素子包装体は、
１または２以上の光学素子と、
１または２以上の光学素子を支持する支持体と、
１または２以上の光学素子および支持体を覆う包装部材と
を備え、
支持体は、
光源からの光が入射する入射面と、
入射面から入射した光を液晶パネルに向けて出射する出射面と
を有し、
出射面側の光学素子を支持体とする液晶表示装置である。
【手続補正７】
【補正対象書類名】明細書
【補正対象項目名】００１７
【補正方法】変更
【補正の内容】
【００１７】
この発明では、１または２以上の光学素子と支持体とを包装部材により覆っているので、１または２以上の光学素子と支持体とを一体化することができる。したがって、支持体により光学素子の剛性不足を補うことができる。また、支持体の入射面および出射面の少なくとも一方の面を凹形状または凸形状にしているので、包装部材の撓みを抑制することができる。